(57)【要約】【課題】ドキュメントのデザインの印象を的確に評価する。【解決手段】ドキュメントの印象を表現する選択肢群を含む印象表現データベースを参照して、ドキュメントのデザイン制作の目標とする印象に合った選択肢を選択させて取得させ（Ｓ１０ｂ）、選択された選択肢について、選択された選択肢の数に応じて各選択肢の重み係数を設定し、設定された各選択肢の重み係数に基づいて、ドキュメントのデザイン制作の目標とする印象を表す印象情報を決定する（Ｓ１０ｃ）。【選択図】図５
2008059131.tif 000002
【特許請求の範囲】
【請求項１】
ドキュメントの印象を表現する選択肢群を含み、記憶手段に記憶されている印象表現データベースを参照して、ドキュメントのデザイン制作の目標とする印象に合った選択肢を選択させて取得する選択肢取得手段と、
前記選択肢取得手段において選択された選択肢について、選択された選択肢の数に応じて各選択肢の重み係数を設定し、
前記設定された各選択肢の重み係数に基づいて、ドキュメントのデザイン制作の目標とする印象を表す印象情報を決定する目標印象情報決定手段と、
を含むことを特徴とするデザイン制作支援装置。
【請求項２】
請求項１に記載のデザイン制作支援装置であって、
前記目標印象情報決定手段は、前記各選択肢の重み係数を設定する際に、前記選択肢取得手段において形容詞を選択したユーザ毎の重み係数の合計値が一致するように各選択肢の重み係数を設定することを特徴とするデザイン制作支援装置。
【請求項３】
ドキュメントの印象を表現する選択肢群を含み、記憶手段に記憶されている印象表現データベースを参照して、ドキュメントのデザイン制作の目標とする印象に合った選択肢を選択させて取得する選択肢取得手段と、
前記選択肢取得手段において選択された選択肢について、選択された選択肢の選択順に応じて各選択肢の重み係数を設定し、
前記設定された各選択肢の重み係数に基づいて、ドキュメントのデザイン制作の目標とする印象を表す印象情報を決定する目標印象情報決定手段と、
を含むことを特徴とするデザイン制作支援装置。
【請求項４】
請求項３に記載のデザイン制作支援装置であって、
前記目標印象情報決定手段は、前記各選択肢の重み係数を設定する際に、前記選択肢取得手段において形容詞を選択したユーザ毎の重み係数の合計値が一致するように各選択肢の重み係数を設定することを特徴とするデザイン制作支援装置。
【請求項５】
請求項１〜４のいずれか１つに記載のデザイン制作支援装置であって、
出力画面の領域を複数の分割画面領域に分割し、前記分割画面領域毎に印象情報を割り当て、前記目標印象情報決定手段で決定された印象情報が割り当てられた前記分割画面領域に前記目標印象情報決定手段で決定された印象情報を表示する出力手段を備えることを特徴とするデザイン制作支援装置。
【請求項６】
ドキュメントの印象を表現する選択肢群を含み、記憶手段に記憶されている印象表現データベースを参照して、ユーザが実際のドキュメントから受ける印象に合った選択肢を選択させて取得する選択肢取得手段と、
前記選択肢取得手段において選択された選択肢について、選択された選択肢の数に応じて各選択肢の重み係数を設定し、
前記設定された各選択肢の重み係数に基づいて、実際のドキュメントから受ける印象を表す印象情報を決定するユーザ印象情報決定手段と、
を含むことを特徴とするデザイン制作支援装置。
【請求項７】
請求項６に記載のデザイン制作支援装置であって、
前記ユーザ印象情報決定手段は、前記各選択肢の重み係数を設定する際に、前記選択肢取得手段において形容詞を選択したユーザ毎の重み係数の合計値が一致するように各選択肢の重み係数を設定することを特徴とするデザイン制作支援装置。
【請求項８】
ドキュメントの印象を表現する選択肢群を含み、記憶手段に記憶されている印象表現データベースを参照して、ユーザが実際のドキュメントから受ける印象に合った選択肢を選択させて取得する選択肢取得手段と、
前記選択肢取得手段において選択された選択肢について、選択された選択肢の選択順に応じて各選択肢の重み係数を設定し、
前記設定された各選択肢の重み係数に基づいて、実際のドキュメントから受ける印象を表す印象情報を決定するユーザ印象情報決定手段と、
を含むことを特徴とするデザイン制作支援装置。
【請求項９】
請求項８に記載のデザイン制作支援装置であって、
前記ユーザ印象情報決定手段は、前記各選択肢の重み係数を設定する際に、前記選択肢取得手段において形容詞を選択したユーザ毎の重み係数の合計値が一致するように各選択肢の重み係数を設定することを特徴とするデザイン制作支援装置。
【請求項１０】
請求項６〜９のいずれか１つに記載のデザイン制作支援装置であって、
出力画面の領域を複数の分割画面領域に分割し、前記分割画面領域毎に印象情報を割り当て、前記ユーザ印象情報決定手段で決定された印象情報が割り当てられた前記分割画面領域に前記ユーザ印象情報決定手段で決定された印象情報を表示する出力手段を備えることを特徴とするデザイン制作支援装置。
【請求項１１】
コンピュータを、
ドキュメントの印象を表現する選択肢群を含み、記憶手段に記憶されている印象表現データベースを参照して、ドキュメントのデザイン制作の目標とする印象に合った選択肢を選択させて取得する選択肢取得手段と、
前記選択肢取得手段において選択された選択肢について、選択された選択肢の数に応じて各選択肢の重み係数を設定し、
前記設定された各選択肢の重み係数に基づいて、ドキュメントのデザイン制作の目標とする印象を表す印象情報を決定する目標印象情報決定手段と、
として機能させることを特徴とするデザイン制作支援プログラム。
【請求項１２】
コンピュータを、
ドキュメントの印象を表現する選択肢群を含み、記憶手段に記憶されている印象表現データベースを参照して、ドキュメントのデザイン制作の目標とする印象に合った選択肢を選択させて取得する選択肢取得手段と、
前記選択肢取得手段において選択された選択肢について、選択された選択肢の選択順に応じて各選択肢の重み係数を設定し、
前記設定された各選択肢の重み係数に基づいて、ドキュメントのデザイン制作の目標とする印象を表す印象情報を決定する目標印象情報決定手段と、
として機能させることを特徴とするデザイン制作支援プログラム。
【請求項１３】
コンピュータを、
ドキュメントの印象を表現する選択肢群を含み、記憶手段に記憶されている印象表現データベースを参照して、ユーザが実際のドキュメントから受ける印象に合った選択肢を選択させて取得する選択肢取得手段と、
前記選択肢取得手段において選択された選択肢について、選択された選択肢の数に応じて各選択肢の重み係数を設定し、
前記設定された各選択肢の重み係数に基づいて、実際のドキュメントから受ける印象を表す印象情報を決定するユーザ印象情報決定手段と、
として機能させることを特徴とするデザイン制作支援プログラム。
【請求項１４】
コンピュータを、
ドキュメントの印象を表現する選択肢群を含み、記憶手段に記憶されている印象表現データベースを参照して、ユーザが実際のドキュメントから受ける印象に合った選択肢を選択させて取得する選択肢取得手段と、
前記選択肢取得手段において選択された選択肢について、選択された選択肢の選択順に応じて各選択肢の重み係数を設定し、
前記設定された各選択肢の重み係数に基づいて、実際のドキュメントから受ける印象を表す印象情報を決定するユーザ印象情報決定手段と、
として機能させることを特徴とするデザイン制作支援プログラム。
【発明の詳細な説明】
【技術分野】
【０００１】
本発明は、目標とするデザインの印象、実際に制作されたデザインの印象及びデザインからユーザが受ける印象に基づいてデザイン制作の支援を行うデザイン制作支援装置及びデザイン制作支援プログラムに関する。
【背景技術】
【０００２】
企業のコーポレートマーク、商品、プレゼンテーション資料やウェブサイトのページ等に施されたデザインは顧客や使用者等が受ける印象（イメージ）に対して大きな影響を与える。従って、そのデザイン制作においては、企業戦略、商品販売戦略、情報提供等をする者が受け手（ユーザ）に対して与えようとする印象を的確に表現することが重要である。
【０００３】
例えば、商品のデザイン制作をデザイン制作者に依頼して行う場合には、図２８に示すように、依頼主であるクライアントが商品やプレゼンテーション資料に必要とされる目標印象を決定し（Ｓ１００）、デザイン制作者がその印象に合致するデザインの制作を行い（Ｓ１０２）、制作されたデザインの印象の評価を行い（Ｓ１０４）、必要とする印象と現実のデザインの印象との相違に基づいて依頼主はデザイン修正が必要な場合は修正を指示し、修正が必要でない場合には最終的なデザインが決定される（Ｓ１０６）。
【０００４】
このようなデザイン制作の中で、商品、プレゼンテーション資料及びウェブページ等のドキュメントの描画・着色を支援するアプリケーションソフトウェアが多数開発されている。これらの多くは、実際の着色をアプリケーションの使用者に委ねており、デザイン制作に不慣れな使用者は印象を的確に表すことが困難である。
【０００５】
そこで、人間の感性に基づいて処理やドキュメントの印象評価を行う方法についての研究がなされている。
【０００６】
特許文献１には、デザイン制作の際に目標となる印象に関する文字情報を目標イメージとして決定する目標イメージ決定工程と、実際に制作されたデザインの印象に関する文字情報をデザインイメージとして求めるデザインイメージ評価工程とを実行し、イメージに関する文字情報を表示画面の各領域に割り当てたイメージマップ画面と、イメージマップ画面の領域のうち目標イメージ情報に対応する領域に目標イメージ情報と、デザインイメージ情報に対応する領域にデザインイメージと、を重ね合わせて表示する技術が開示されている。
【０００７】
【特許文献１】特開２００４−１０２７３４号公報
【発明の開示】
【発明が解決しようとする課題】
【０００８】
ところで、ドキュメントのデザイン制作の目標となる印象や実際のドキュメントのデザインから受ける印象を決定する際に、デザインの印象を表す選択肢を被験者（消費者等）に選択させる処理を行うが、一般的には選択肢を決まった数だけ選択させるか、又は、選択させる選択肢の数を制限しない。この場合、被験者によって選択する選択肢の数がばらばらであり、ドキュメントのデザイン制作の目標となる印象や実際のドキュメントのデザインから受ける印象を正確に特定できないという問題がある。
【０００９】
また、デザインの印象を表す選択肢を被験者に選択させる処理を行う際に、一般的には選択肢の選択順に関係なく、選択された選択肢に基づいてドキュメントのデザイン制作の目標となる印象や実際のドキュメントのデザインから受ける印象を決定しているので、印象を正確に特定できないという問題がある。
【００１０】
本発明は、上記従来技術の課題を鑑み、デザイン制作の目標となる目標印象情報や実際のデザインから受けた印象を示すユーザ印象情報をより的確に呈示することができるデザイン制作支援装置及びデザイン制作支援プログラムを提供することを目的とする。
【課題を解決するための手段】
【００１１】
本発明は、ドキュメントの印象を表現する選択肢群を含み、記憶手段に記憶されている印象表現データベースを参照して、ドキュメントのデザイン制作の目標とする印象に合った選択肢を選択させて取得する選択肢取得手段と、前記選択肢取得手段において選択された選択肢について、選択された選択肢の数に応じて各選択肢の重み係数を設定し、前記設定された各選択肢の重み係数に基づいて、ドキュメントのデザイン制作の目標とする印象を表す印象情報を決定する目標印象情報決定手段と、を含むことを特徴とするデザイン制作支援装置である。
【００１２】
このような装置は、コンピュータを、ドキュメントの印象を表現する選択肢群を含み、記憶手段に記憶されている印象表現データベースを参照して、ドキュメントのデザイン制作の目標とする印象に合った選択肢を選択させて取得する選択肢取得手段と、前記選択肢取得手段において選択された選択肢について、選択された選択肢の数に応じて各選択肢の重み係数を設定し、前記設定された各選択肢の重み係数に基づいて、ドキュメントのデザイン制作の目標とする印象を表す印象情報を決定する目標印象情報決定手段と、として機能させることを特徴とするデザイン制作支援プログラムにより実現することができる。
【００１３】
ここで、前記目標印象情報決定手段は、前記各選択肢の重み係数を設定する際に、前記選択肢取得手段において形容詞を選択したユーザ毎の重み係数の合計値が一致するように各選択肢の重み係数を設定することが好適である。
【００１４】
また、本発明は、ドキュメントの印象を表現する選択肢群を含み、記憶手段に記憶されている印象表現データベースを参照して、ドキュメントのデザイン制作の目標とする印象に合った選択肢を選択させて取得する選択肢取得手段と、前記選択肢取得手段において選択された選択肢について、選択された選択肢の選択順に応じて各選択肢の重み係数を設定し、前記設定された各選択肢の重み係数に基づいて、ドキュメントのデザイン制作の目標とする印象を表す印象情報を決定する目標印象情報決定手段と、を含むことを特徴とするデザイン制作支援装置である。
【００１５】
このような装置は、コンピュータを、ドキュメントの印象を表現する選択肢群を含み、記憶手段に記憶されている印象表現データベースを参照して、ドキュメントのデザイン制作の目標とする印象に合った選択肢を選択させて取得する選択肢取得手段と、前記選択肢取得手段において選択された選択肢について、選択された選択肢の選択順に応じて各選択肢の重み係数を設定し、前記設定された各選択肢の重み係数に基づいて、ドキュメントのデザイン制作の目標とする印象を表す印象情報を決定する目標印象情報決定手段と、として機能させることを特徴とするデザイン制作支援プログラムにより実現することかできる。
【００１６】
ここで、前記目標印象情報決定手段は、前記各選択肢の重み係数を設定する際に、前記選択肢取得手段において形容詞を選択したユーザ毎の重み係数の合計値が一致するように各選択肢の重み係数を設定することが好適である。
【００１７】
また、上記の発明では、出力画面の領域を複数の分割画面領域に分割し、前記分割画面領域毎に印象情報を割り当て、前記目標印象情報決定手段で決定された印象情報が割り当てられた前記分割画面領域に前記目標印象情報決定手段で決定された印象情報を表示する出力手段を備えることが好適である。
【００１８】
また、本発明は、ドキュメントの印象を表現する選択肢群を含み、記憶手段に記憶されている印象表現データベースを参照して、ユーザが実際のドキュメントから受ける印象に合った選択肢を選択させて取得する選択肢取得手段と、前記選択肢取得手段において選択された選択肢について、選択された選択肢の数に応じて各選択肢の重み係数を設定し、前記設定された各選択肢の重み係数に基づいて、実際のドキュメントから受ける印象を表す印象情報を決定するユーザ印象情報決定手段と、を含むことを特徴とするデザイン制作支援装置である。
【００１９】
このような装置は、コンピュータを、ドキュメントの印象を表現する選択肢群を含み、記憶手段に記憶されている印象表現データベースを参照して、ユーザが実際のドキュメントから受ける印象に合った選択肢を選択させて取得する選択肢取得手段と、前記選択肢取得手段において選択された選択肢について、選択された選択肢の数に応じて各選択肢の重み係数を設定し、前記設定された各選択肢の重み係数に基づいて、実際のドキュメントから受ける印象を表す印象情報を決定するユーザ印象情報決定手段と、として機能させることを特徴とするデザイン制作支援プログラムにより実現することができる。
【００２０】
ここで、前記ユーザ印象情報決定手段は、前記各選択肢の重み係数を設定する際に、前記選択肢取得手段において形容詞を選択したユーザ毎の重み係数の合計値が一致するように各選択肢の重み係数を設定することが好適である。
【００２１】
また、本発明は、ドキュメントの印象を表現する選択肢群を含み、記憶手段に記憶されている印象表現データベースを参照して、ユーザが実際のドキュメントから受ける印象に合った選択肢を選択させて取得する選択肢取得手段と、前記選択肢取得手段において選択された選択肢について、選択された選択肢の選択順に応じて各選択肢の重み係数を設定し、前記設定された各選択肢の重み係数に基づいて、実際のドキュメントから受ける印象を表す印象情報を決定するユーザ印象情報決定手段と、を含むことを特徴とするデザイン制作支援装置である。
【００２２】
このような装置は、コンピュータを、ドキュメントの印象を表現する選択肢群を含み、記憶手段に記憶されている印象表現データベースを参照して、ユーザが実際のドキュメントから受ける印象に合った選択肢を選択させて取得する選択肢取得手段と、前記選択肢取得手段において選択された選択肢について、選択された選択肢の選択順に応じて各選択肢の重み係数を設定し、前記設定された各選択肢の重み係数に基づいて、実際のドキュメントから受ける印象を表す印象情報を決定するユーザ印象情報決定手段と、として機能させることを特徴とするデザイン制作支援プログラムにより実現することができる。
【００２３】
ここで、前記ユーザ印象情報決定手段は、前記各選択肢の重み係数を設定する際に、前記選択肢取得手段において形容詞を選択したユーザ毎の重み係数の合計値が一致するように各選択肢の重み係数を設定することが好適である。
【００２４】
また、上記発明において、出力画面の領域を複数の分割画面領域に分割し、前記分割画面領域毎に印象情報を割り当て、前記ユーザ印象情報決定手段で決定された印象情報が割り当てられた前記分割画面領域に前記ユーザ印象情報決定手段で決定された印象情報を表示する出力手段を備えることも好適である。
【発明の効果】
【００２５】
本発明によれば、デザイン制作の目標となる目標印象情報や実際のデザインから受けた印象を示すユーザ印象情報をより的確に求めることができる。
【発明を実施するための最良の形態】
【００２６】
１．装置構成
本発明の実施の形態におけるデザイン制作支援装置は、図１のように、マネジメントサーバ１００、クライアントコンピュータ１０２ａ，１０２ｂ・・・及びネットワーク１０４から構成される。マネジメントサーバ１００及びクライアントコンピュータ１０２ａ，１０２ｂ・・・は、ネットワーク１０４を介して、情報伝達可能に接続される。
【００２７】
マネジメントサーバ１００は、図２のように、制御部１０、記憶部１２、入力部１４、出力部１６及びネットワークインターフェース部１８から基本的に構成される。
【００２８】
制御部１０は、記憶部１２に保存されたデザイン制作支援プログラム（デザイン制作マネジメントプログラム）を読み出して実行する。また、処理に必要なデータを入力部１４、ネットワーク１０４から取り込み、記憶部１２に格納する。また、処理に必要な場合には、記憶部１２に保持されたデータを読み出して処理に供する。さらに、処理結果を再び記憶部１２に格納し、必要に応じて出力部１６又はネットワーク１０４に出力する。
【００２９】
記憶部１２は、デザイン制作支援プログラム及び入力部１４やネットワークから取り込まれるキーワード等の各種データを格納及び保持する。また、処理に必要とされる印象表現データベース、印象評価データベース、デザイン評価データベース、デザインデータベース、ユーザ印象情報データベース、印象表示用データベース等のデータベースを格納及び保持する。各々のデータベースの内容及び使用方法については後述する。記憶部１２としては、主として半導体メモリが用いられるが、例えば、ハードディスク、光ディスク、光磁気ディスク、磁気テープなどの記憶装置を用いることもできる。
【００３０】
入力部１４は、使用者が処理に必要なデータを入力する際に用いられる。入力部１４としては、例えば、キーボード等の文字入力装置やマウス、ライトペン等のポインティングデバイスを用いることができる。また、紙などの記録媒体に作成された既存のプレゼンテーション資料等を電子データとして読み込む場合には、スキャナ等のドキュメント読取装置、音声等を入力する場合にはデジタル信号への変換が可能な音声入力装置を用いることができる。
【００３１】
出力部１６は、処理に必要なデータの入力を促す入力画面、制御部１０での処理結果を示す出力画面等を表示する。出力部１６としては、例えば、ディスプレイ、プリンタ等のドキュメント出力装置を用いることができる。
【００３２】
ネットワークインターフェース部１８は、マネジメントサーバ１００をネットワーク１０４と情報伝達可能に接続するために用いられる。
【００３３】
また、クライアントコンピュータ１０２ａ，１０２ｂ・・・もマネジメントサーバ１００と同様にコンピュータの基本構成を有する。クライアントコンピュータ１０２ａ，１０２ｂ・・・においても、ネットワーク１０４を介することによって、マネジメントサーバ１００に対して処理に必要な情報を送信したり、マネジメントサーバ１００における処理結果を受信したりすることができる。また、以下に示すデザイン制作支援方法の処理の一部をクライアントコンピュータ１０２で実行させてもよい。
【００３４】
２．デザイン制作支援方法
本実施の形態におけるデザイン制作支援方法を、図３を参照して、以下に詳細に説明する。なお、本願請求項に係る発明における各手段は、以下のデザイン制作支援方法の各工程をコンピュータで処理させることによって実現される。
【００３５】
ここで、デザインの制作を行う者（デザイン制作者）、デザイン制作者に対してデザインの制作を依頼する者（依頼主）及び制作されたデザインの受け手となる者（需要者等）がシステムを利用するものとして説明を行う。また、デザイン制作者、依頼主及び需要者のいずれもが行うことができる。デザイン制作者、依頼主及び需要者が同一者となる場合もある。また、デザイン評価を行う者は単独でも良いし、複数人であってもよい。
【００３６】
クライアントコンピュータ１０２ａ，１０２ｂ・・・は、ネットワーク１０４を介して、それぞれマネジメントサーバ１００と接続されて通信を行い、いずれもデザイン制作者の端末としても、依頼主の端末としても、需要者の端末としても機能することができる。以下の説明においては便宜上、操作者はマネジメントサーバ１００を用いて処理を行うものとする。
【００３７】
デザイン制作支援方法は、図３のように、ステップＳ１０の目標印象決定工程、ステップＳ２０のデザイン印象評価工程、ステップＳ３０のユーザ印象取得工程及びステップＳ４０の印象提示・修正工程を含んでなる。
【００３８】
これらの各工程は、コンピュータで処理可能なデザイン制作支援プログラムをマネジメントサーバ１００の記憶部１２に格納及び保持し、マネジメントサーバ１００によってそのプログラムを実行することによって実現される。
【００３９】
プログラムの処理が開始されると、ステップＳ０において、図４のように、制御部１０はメインメニュー画面１０００を出力部１６に表示させ、操作者に対して所望の処理を選択するように促す。ここで、メインメニュー画面１０００においては、マウスポインタ５が表示され、所望の処理を示す画面位置をクリックすることによって、各処理の実行が開始される。
【００４０】
また、メインメニュー画面１０００には、制作の対象となっているデザインの識別番号を入力するボックス１５が設けられており、以下の処理において対象となるデータベース等はこのボックス１５に入力された番号で識別されることとなる。
【００４１】
例えば、ボックス１５に識別番号として“９”を入力し、目標印象決定ボタン２０が表示されている位置にマウスポインタ５を移動させ、マウスをクリックすることによって、デザインの識別番号は９となり、ステップＳ１０の目標印象決定工程に処理が移行する。同様に、ステップＳ２０のデザイン印象評価工程、ステップＳ３０のユーザ印象取得工程、ステップＳ４０の印象提示・修正工程に処理を移行させる場合もそれぞれデザイン印象評価ボタン２２、ユーザ印象取得ボタン２４、印象提示・修正ボタン２６が表示されている位置にマウスポインタ５を移動させてマウスをクリックすることによって処理を移行させることができる。
【００４２】
２−１．目標印象決定工程
ステップＳ１０の目標印象決定工程では、制作対象となるデザインに必要とされる印象に関する情報（以下、目標印象情報という）が定められる。目標印象決定工程は、図５に示すフローチャートによって処理される。
【００４３】
まず、ステップＳ１０ａにおいて、制御部１０は、目標印象入力画面１００２を出力部１６に表示させる。目標印象入力画面１００２は、図６に示すように、デザインの印象を表現する複数の情報（選択肢）を提示して、操作者からデザイン制作の目標となる印象にあった情報（選択肢）を選択させるものである。
【００４４】
ここで、デザインの印象を表現する情報（選択肢）は、デザインの印象を端的に表現する形容詞群からなる文字情報、単一の色を表すカラーパッチの群や複数の色彩を組み合わせたカラーパレットの群からなる色彩情報、デザインの印象を抽象的に表現する抽象画の群からなる画像情報等を、デザイン制作の対象に応じて適宜選択して用いることが好適である。これらの情報は、印象表現データベースとして予め記憶部１２に保存しておくことによって、適宜読み出して用いることができる。
【００４５】
本実施の形態では、まず、図７の印象表現データベースを用いてドキュメントの印象をユーザから取得する。印象表現データベースは、図８に示すような印象マップの全体を網羅する形容詞の表現を含むものである。ここで、印象マップとは、表示画面を複数の領域に分割し、各々の領域をドキュメントの印象を示す領域として割り当てたものである。印象マップには座標軸を設けて、その座標軸に沿って印象が所定の傾向で変化していくように印象を表す形容詞を割り当てる。例えば、図８の例では、“暖かい”から“冷たい”までのデザインの暖かさを示すＸ座標と、“柔らかい”から“硬い”までのデザインの硬さを示すＹ座標と、の二つの直交座標を設け、それぞれの印象の変化に沿って印象を表す形容詞が割り当てられている。なお、印象マップへの情報の割り当て方法はこれに限られるものではなく、対象とするデザインの種類に応じて座標軸の設定を変更することが好ましい。
【００４６】
ここでは、図６のように、印象表現データベースから読み出された形容詞が列挙表示された目標印象入力画面１００２を出力部１６に表示させる。このとき、形容詞の表示順によるユーザによる選択への影響を避けるために、目標印象入力画面１００２を表示する毎に形容詞の表示の順番を変更させてもよい。
【００４７】
ステップＳ１０ｂでは、ユーザは入力部１４を用いて、デザインに要求される印象に沿った情報を選択する。本実施の形態では、複数のユーザにデザイン制作の目標とすべき印象に合致する形容詞を選択入力させる。
【００４８】
操作者となるユーザ（被験者）は、目標印象入力画面１００２に表示された形容詞の記入欄に各形容詞に割り振られた番号を入力する。これによって、ユーザ（被験者）が目標とすべきであるという印象に合致する形容詞が選択される。選択された形容詞は記憶部１２に保存される。
【００４９】
本実施の形態では、ユーザ毎にこの処理を繰り返すことによって、複数のユーザがデザイン制作の目標とすべきと考えている印象を示す選択肢が順次取得される。例えば、企業のコーポレートカラーのデザインを制作する際に目標となる印象を決定しようとする場合には、企業内の複数の役員に企業のコーポレートカラーの印象にあった形容詞を選択させる。
【００５０】
なお、印象を表現する情報の選択方法は、これに限られるものではなく、ユーザの入力が容易に行える方法であれば他の方法を用いても良い。
【００５１】
次に、ステップＳ１０ｃにおいて、ステップＳ１０ｂで選択された選択肢（形容詞）に基づいて、ドキュメントのデザイン制作における目標印象情報が定められる。
【００５２】
各ユーザが選択した選択肢について各選択肢の重み係数が決定される。本実施の形態では、各ユーザが選択した選択肢の総数に応じて、ユーザ毎に選択された選択肢の重み係数が定められる。具体的には、図９に示すように、ユーザ毎に選択された形容詞の重み係数の和が等しくなるように、選択された形容詞の総数Ｎｔｏｔａｌで総和値を除した値を各形容詞の重み係数とする。例えば、被験者Ａについては、選択された形容詞が１０個であるので、重み係数の総和値を１とするようにするには、各形容詞の重み係数は１／１０＝０．１とする。被験者Ｂについては、選択された形容詞が５個であるので、各形容詞の重み係数は１／５＝０．２とする。
【００５３】
複数のユーザによって形容詞の選択が行われている場合には、形容詞毎に総てのユーザに対して決定された重み係数を足し合わせて、各形容詞の重み係数の積算値を算出する。次に、印象評価データベースを参照して、印象情報毎に割り当てられている形容詞の重み係数の積算値を足し合わせる。印象情報は、印象表現データベースに登録されている形容詞等の選択肢と同様に印象マップ上に割り当てることができるデザインの印象を表す情報であるが、形容詞等の選択肢よりも広い概念を表すものとすることが好ましい。すなわち、印象情報は、複数の選択肢にまたがるような広い概念を表すものとする。例えば、図１０の印象評価データベースの例では、印象情報「カジュアル」に対しては「親しみやすい」、「かわいい」という２つの形容詞が関連付けられて登録されているので、「親しみやすい」という形容詞の積算値と「かわいい」という形容詞の積算値とを足し合わせた値を印象情報「カジュアル」の評価値として算出する。同様に、他の印象情報についても、関連付けられている形容詞の積算値を足し合わせて評価値を算出する。
【００５４】
こうして算出された評価値のうち最も高い評価値を有する印象情報を目標印象情報として設定する。目標印象情報は記憶部１２に格納及び保持される。目標印象情報の設定処理が終了すると、処理はステップ０へ戻される。
【００５５】
＜変形例＞
目標印象情報の決定方法は上記実施の形態の方法に限定されるものではない。本変形例では、選択肢（形容詞）の選択順に基づいて重み付けを変更することによって、より正しい目標印象情報を決定する方法について説明する。本変形例における処理は、基本的に図５に示すフローチャートに沿って行われるが、ステップＳ１０ｃにおける処理が異なる。
【００５６】
各ユーザが選択した選択肢について各選択肢の重み係数が決定される。本実施の形態では、各ユーザが選択した選択肢の選択順に応じて、ユーザ毎に選択された選択肢の重み係数が定められる。具体的には、図１１に示すように、ユーザ毎に選択された形容詞の重み係数の和が等しくなり（例えば、総和値が１となる）、かつ、早く選択された形容詞ほど高い重み付け係数となるように各形容詞の重み係数が決定される。
【００５７】
例えば、第ｎ番目に選択された形容詞の重み付け係数Ａｎは、Ａｎ＝（（選択された形容詞の総数Ｎｔｏｔａｌ＋１）−ｎ）／Σｎとすることができる。図１１では、被験者Ａは１０個の形容詞（選択肢）を選択したのでＮｔｏｔａｌ＝１０となり、第１番目に選択された「ロマンチック」に対してはｎ＝１として重み係数Ａ１＝（（１０＋１）−１）／５５≒０．１８０となり、第２番目に選択された「親しみやすさ」に対してはｎ＝２として重み係数Ａ２＝（（１０＋１）−２）／５５≒０．１６４となる。以下、第３番目以降に選択された形容詞についても同様に重み係数を算出する。
【００５８】
複数のユーザによって形容詞の選択が行われている場合には、形容詞毎に総てのユーザに対して決定された重み係数を足し合わせて、各形容詞の重み係数の積算値を算出する。そして、印象評価データベースを参照して、印象情報毎に割り当てられている形容詞の重み係数の積算値を足し合わせる。例えば、図１０の印象評価データベースの例では、印象情報「カジュアル」に対しては「親しみやすい」、「かわいい」という２つの形容詞が関連付けられて登録されているので、「親しみやすい」という形容詞の積算値と「かわいい」という形容詞の積算値とを足し合わせた値を印象情報「カジュアル」の評価値として算出する。同様に、他の印象情報についても、関連付けられている形容詞の積算値を足し合わせて評価値を算出する。
【００５９】
こうして算出された評価値のうち最も高い評価値を有する印象情報を目標印象情報として設定する。目標印象情報は記憶部１２に格納及び保持される。目標印象情報の設定処理が終了すると、処理はステップＳ０へ戻される。
【００６０】
なお、上記実施の形態及び変形例においては、ドキュメントの印象を表す選択肢として文字情報である形容詞を用いたがこれに限定されるものではない。上記のとおり、色彩情報や画像情報を選択肢として用いてもよい。形容詞を用いた方法と同様に、印象マップ上に色彩情報や画像情報を割り当てておき、ユーザによってドキュメントのデザイン制作の目標とすべき印象として選択された色彩情報や画像情報の印象マップ上での分布に基づいて目標印象情報を決定することができる。
【００６１】
２−２．デザイン印象評価工程
ステップＳ０において、デザイン印象評価ボタン２２がクリックされると、ステップＳ２０のデザイン印象評価工程に処理が移行される。
【００６２】
ステップＳ２０のデザイン印象評価工程においては、ドキュメントのデザインの印象に関する情報（以下、デザイン印象情報という）が抽出される。デザイン印象評価工程は、図１２のフローチャートに沿って処理される。
【００６３】
まず、ステップＳ２０ａにおいて、実際のドキュメントデータを取り込み、記憶部１２に格納及び保持する。制御部１０は、図１３のように、デザイン取込画面１００４を出力部１６に表示して、デザイン制作者に対して評価対象となるデザインに関するドキュメントの入力を促す。
【００６４】
例えば、デザイン制作者はウェブページをデザインし、それを予めネットワーク１０４上にアップロードしておく。次に、デザイン取込画面１００４のＵＲＬ入力ボックス３０にそのウェブページのＵＲＬを入力し、デザイン取込画面１００４上に表示されたマウスポインタ５をウェブデザイン取込ボタン３２に移動させて、マウスをクリックすることによって、デザイン印象評価の対象となるウェブページの取得先を指定する。制御部１０は指定を受けると、ネットワーク１０４を介して、指定されたＵＲＬからウェブページのドキュメントデータを取り込む。取り込まれたドキュメントデータは、図１４のように、ドキュメントデータの識別情報（例えばＵＲＬ）と関連付けられてデザインデータベースとして記憶部１２に順次蓄積される。
【００６５】
なお、デザインの識別番号に対して、未だデザインデータベースが生成されていない場合には、デザインの識別番号に関連付けて新たなデザインデータベースを生成する。一方、既にデザインの識別番号に対するデザインデータベースが存在している場合には、既存のデザインデータベースに対してドキュメントデータの識別情報及びドキュメントデータが付加的に蓄積される。
【００６６】
また、制作したウェブページのみならず、例えば、競合他社のウェブページのＵＲＬを指定することによって、それらのウェブページのドキュメントデータを取り込んで評価することも可能である。
【００６７】
なお、デザイン制作の対象がプレゼンテーション資料、新商品又は企業のブランドロゴ等である場合には、スキャナ等の読取装置を用いて、ドキュメントデータを取り込むことも好適である。この場合、デザイン取込画面１００４のドキュメント取込ボタン３４をクリックすることによって、既存のドキュメント読取ツールを起動するようにすることが好ましい。
【００６８】
以下の説明では、例として図１５のウェブページのドキュメントが取り込まれたものとする。
【００６９】
ステップＳ２０ｂでは、取り込まれたドキュメントデータが人間に与える印象の評価を行う。デザインの印象評価には、特願２００２−１８７５２２号等の既存の評価手段を用いることができる。
【００７０】
すなわち、制御部１０は被評価ドキュメントの画像データを記憶部１２から読み出し、図１５のように領域分割する。領域分割には、既存の画像領域分割ツールを用いることができる。次に、面積、位置、大きさ、色平均、他の領域との色差等の物理的特徴量を分割された領域毎に抽出する。
【００７１】
ここで、各領域は、ＲＧＢ色空間からＬ＊ａ＊ｂ＊色空間に変換した後に視覚的な特徴量を抽出することが好適である。通常、コンピュータで利用されるドキュメントデータは、不均等色空間であるＲＧＢ色空間によって表現されていることが多く、人の感覚に近い分析ができない。そこで、不均等色空間であるＲＧＢ色空間から均等色空間であるＬ＊ａ＊ｂ＊色空間に変換することによって、より人の感性に近い印象として分析・評価することができる。また、Ｌ＊ａ＊ｂ＊空間はドキュメントのダイナミックレンジを表現できる点からも好適である。勿論、ドキュメントデータが既にＬ＊ａ＊ｂ＊色空間で表現されている場合には変換をする必要はない。
【００７２】
また、物理的な特徴量とは、着目領域の面積、着目領域の幅ｗ及び高さｈ、左上の位置ｘ，ｙ、着目領域全体の色平均、Ｌ＊成分の平均値、ａ＊成分の平均値、ｂ＊成分の平均値、ドキュメント全体の色平均と着目領域全体の色平均の色差ΔＬ＊ａ＊ｂ＊、着目領域と近接する領域との色平均の色差ΔｎＬ＊ａ＊ｂ＊、背景と着目領域との色平均の色差ΔｂＬ＊ａ＊ｂ＊、着目領域内における色の分散、同色数などの特徴をいう。また、ドキュメントデータの背景領域、背景領域を除く最も大きな領域を持つメイン領域及びメイン領域に対してアクセントとなるアクセント領域から平均色を抽出して特徴量としてもよい。
【００７３】
一方、物理的特徴量の組み合わせに対してデザイン印象情報を関連付けてデザイン評価データベースとして記憶部１２に格納及び保持する。例えば、図１６のように、背景領域、背景領域を除く最も大きな領域を持つメイン領域及びメイン領域に対してアクセントとなるアクセント領域の各領域の色彩（図中ではハッチングで示す）の組を生成し、それらの色彩の組から人間が受ける印象を表す印象情報を関連付けて保存しておく。印象情報は、図１０の印象評価データベースに登録されている印象情報と同じものとする。
【００７４】
このデザイン評価データベースに基づいて、実際のドキュメントデータの背景領域、メイン領域及びアクセント領域から平均色を抽出し、その平均色の組み合わせからデザイン印象情報を決定することができる。抽出されたデザイン印象情報は、図１４のように、ドキュメントデータの識別番号及び評価対象となったドキュメントデータと関連付けられてデザインデータベースとして記憶部１２に格納及び保持される。
【００７５】
例えば、図１５のドキュメントデータの背景領域３６、メイン領域３７及びアクセント領域３８の各領域から平均色を抽出すると、図１６のデザイン評価データベースに基づいて、「ナチュラル」というデザイン印象情報を求めることができる。
【００７６】
なお、印象に関する情報を抽出するために用いることができる特徴量は、領域の面積、領域の幅ｗ及び高さｈ、左上の位置ｘ，ｙ、領域全体の色平均、Ｌ＊成分の平均値、ａ＊成分の平均値、ｂ＊成分の平均値、全体の色平均と着目領域全体の色平均の色差ΔＬ＊ａ＊ｂ＊、着目領域と近接する領域との色平均の色差ΔｎＬ＊ａ＊ｂ＊、背景と着目領域との色平均の色差ΔｂＬ＊ａ＊ｂ＊、着目領域内における色の分散、同色数を用いてもよい。
【００７７】
また、これらの特徴量を組み合わせた条件とドキュメントの印象に関する印象情報とを関連付けた多次元のデザイン評価データベースを用いてもよい。このように、出来る限り多くの特徴量を組み合わせることにより、ドキュメントが人間に与える印象をより詳細なものとすることができる。特に、ドキュメント領域間の色差など、異なるドキュメント領域間の特徴量の差異を含んだ条件を用いることにより、被評価ドキュメントの中で強いコントラストを持つ箇所等から受ける印象を表す印象情報を抽出することも可能となる。
【００７８】
また、ドキュメントデータから得られた物理的特徴量そのものをデザイン印象情報とすることも好適である。例えば、ドキュメントデータの背景領域、メイン領域及びアクセント領域の平均色の組み合わせ自体をカラーパレットとしてデザイン印象情報としても良い。
【００７９】
デザイン印象が選定されると、デザイン印象評価工程を終了し、制御部１０は、ステップＳ０に制御を戻す。なお、本実施の形態では、ドキュメントを複数の領域に分割して処理を行ったが、１つのドキュメント全体に対して処理を行ってもよい。
【００８０】
２−３．ユーザ印象取得工程
ステップＳ０において、ユーザ印象取得ボタン２４がクリックされると、ステップＳ３０のユーザ印象取得工程に処理が移行される。
【００８１】
ステップＳ３０のユーザ印象取得工程では、ステップＳ２０で取り込まれたドキュメントデータからユーザ（デザイン製作者、依頼者、需要者等）が受ける印象（以下、ユーザ印象情報という）が定められる。ユーザ印象取得工程は、図１７に示すフローチャートによって処理される。
【００８２】
まず、ステップＳ３０ａにおいて、制御部１０は、ドキュメントデータ選択画面１００６を出力部１６に表示させ、ステップＳ２０で取り込まれたドキュメントデータのうち印象取得の対象となるドキュメントデータの選択を促す。
【００８３】
ドキュメントデータ選択画面１００６は、図１８に示すように、記憶部１２のデザインデータベースに保持されているドキュメントデータに関する情報を画面上に列挙して表示し、いずれのドキュメントデータに対するユーザ印象情報を取得するか、を選択させるものが好適である。ただし、ドキュメントデータ選択画面１００６の態様はこれに限られるものではなく、デザインデータベースに保持されているドキュメントデータの選択が可能であれば良い。
【００８４】
ドキュメントデータに対する印象の入力を行うユーザは、マウス等の入力部１４を用いて、ドキュメントデータ選択画面１００６のドキュメントデータ（画像データ）に関する各情報に設けられたチェックボックス４０へマウスポインタ５を移動させ、マウスをクリックすることによって情報を選ぶ。次に、選択決定ボタン４２にマウスポインタ５を移動させてマウスをクリックすることにより、ドキュメントデータの選択を決定する。
【００８５】
ステップＳ３０ｂでは、制御部１０は、ユーザ印象入力画面１００８を出力部１６に表示させ、ドキュメントデータを見たユーザが受ける印象の入力を促す。ユーザ印象入力画面１００８は、図１９のように、選択されたドキュメントデータの内容を表示する領域４３と、デザインの印象を表現する情報（選択肢）を列挙表示する領域４４とに分割される。
【００８６】
制御部１０は、記憶部１２に保持されているデザインデータベースから、ステップＳ３０ａで選択されたドキュメントデータを読み出し、そのドキュメントデータをドキュメントデータ表示領域４３に画像形成して表示する。例えば、ウェブページのドキュメントデータが選択された場合、図１９のように、デザインデータベースからそのドキュメントデータのＵＲＬを読み出し、そのＵＲＬからそのドキュメントデータを取り込んでディスプレイ上に表示する。
【００８７】
さらに、制御部１０は、記憶部１２に保持されている印象表現データベースからデザインの印象を表現する情報（選択肢）を読み出し、印象表現表示領域４４に表示させる。印象表現データベースに含まれる印象を表現する情報（選択肢）は、ステップＳ１０の目標印象決定工程と同様、デザインの印象を表現する複数の形容詞、単一の色からなるカラーパッチや色彩の組からなるカラーパレットを含む色彩情報、デザインの印象を抽象的に表現する抽象画群等からドキュメントデータの種類に応じて適宜選択して用いることが好適である。
【００８８】
本実施の形態では、図７の印象表現データベースから複数の形容詞群からなる文字情報を読み出して印象表現表示領域４４に表示させる。このとき、形容詞の表示順によるユーザによる選択への影響を避けるために、ユーザ印象入力画面１００８を表示する毎に形容詞の表示の順番を変更させてもよい。
【００８９】
次に、ステップＳ３０ｃにおいて、ユーザは、入力部１４を用いて、ドキュメントデータ表示領域４３に表示されたドキュメントのデザインを見たときに感ずる印象に合った情報を選択する。
【００９０】
例えば、図１９のように、形容詞が列挙された印象表現表示領域４４にマウスポインタ５を表示しておき、ユーザはマウスを用いて、デザインから受ける印象に合致する形容詞に設けられたチェックボックス４６にマウスポインタ５を移動させ、マウスをクリックして選択する。選択されたチェックボックス４６にはチェックマークを表示させる。スクロールボタン４８上にマウスポインタ５を移動させ、マウスをクリックすることにより形容詞の表示を適宜変更することができる。形容詞の選択が終了すると、マウスポインタ５を決定ボタン４７の位置まで移動させてマウスをクリックすることによって、選択された形容詞及び選択順序が記憶部１２に保存される。
【００９１】
複数の被験者（ユーザ）に選択肢を選択させる場合には、被験者（ユーザ）毎に上記処理を繰り返すことによって、複数のユーザが実際のデザインから受けた印象を示す選択肢が順次取得される。なお、印象を表現する情報の選択方法は、これに限られるものではなく、ユーザがドキュメントのデザインに対する印象を容易に入力できるものであればよい。
【００９２】
ステップＳ３０ｄでは、ステップＳ３０ｃで選択された情報に基づいて、実際のドキュメントのデザインの印象を表すユーザ印象情報が定められる。目標印象情報と同様に、ユーザ印象情報は、複数のユーザによって選択された形容詞の選択頻度が印象マップ上でどのように分布するかによって決定される。
【００９３】
上記の目標印象情報の決定処理と同様に、各ユーザが選択した選択肢について各選択肢の重み係数が決定される。本実施の形態では、各ユーザが選択した選択肢の総数に応じて、ユーザ毎に選択された選択肢の重み係数が定められる。具体的には、図９に示すように、ユーザ毎に選択された形容詞の重み係数の和が等しくなるように、選択された形容詞の総数Ｎｔｏｔａｌで総和値を除した値を各形容詞の重み係数とする。例えば、被験者Ａについては、選択された形容詞が１０個であるので、重み係数の総和値を１とするようにするには、各形容詞の重み係数は１／１０＝０．１とする。被験者Ｂについては、選択された形容詞が５個であるので、各形容詞の重み係数は１／５＝０．２とする。
【００９４】
複数のユーザによって形容詞の選択が行われている場合には、形容詞毎に総てのユーザに対して決定された重み係数を足し合わせて、各形容詞の重み係数の積算値を算出する。そして、印象評価データベースを参照して、印象情報毎に割り当てられている形容詞の重み係数の積算値を足し合わせる。印象情報は、印象表現データベースに登録されている形容詞等の選択肢と同様に印象マップ上に割り当てることができるデザインの印象を表す情報であるが、形容詞等の選択肢よりも広い概念を表すものとすることが好ましい。すなわち、印象情報は、複数の選択肢にまたがるような広い概念を表すものとする。例えば、図１０の印象評価データベースの例では、印象情報「カジュアル」に対しては形容詞「親しみやすい」、「かわいい」が関連付けられて登録されているので、「親しみやすい」という形容詞の積算値と「かわいい」という形容詞の積算値とを足し合わせた値を印象情報「カジュアル」の評価値として算出する。同様に、他の印象情報についても、関連付けられている形容詞の積算値を足し合わせて評価値を算出する。
【００９５】
こうして算出された評価値のうち最も高い評価値を有する印象情報をユーザ印象情報として設定する。ユーザ印象情報は評価対象であるドキュメントの識別子（ＵＲＬ等）に関連付けられてユーザ印象情報データベースとして記憶部１２に格納及び保持される。ユーザ印象情報の設定処理が終了すると、処理はステップ０へ戻される。
【００９６】
＜変形例＞
ユーザ印象情報の決定方法は上記実施の形態の方法に限定されるものではない。本変形例では、選択肢（形容詞）の選択順に基づいて重み付けを変更することによって、より正しいユーザ印象情報を決定する方法について説明する。本変形例における処理は、基本的に図１７に示すフローチャートに沿って行われるが、ステップＳ３０ｄにおける処理が異なる。
【００９７】
各ユーザが選択した選択肢について各選択肢の重み係数が決定される。上記の目標印象情報の決定行程の変形例と同様に、各ユーザが選択した選択肢の選択順に応じて、ユーザ毎に選択された選択肢の重み係数が定められる。具体的には、図１１に示すように、ユーザ毎に選択された形容詞の重み係数の和が等しくなり（例えば、総和値が１となる）、かつ、早く選択された形容詞ほど高い重み付け係数となるように各形容詞の重み係数が決定される。
【００９８】
例えば、第ｎ番目に選択された形容詞の重み付け係数Ａｎは、Ａｎ＝（（選択された形容詞の総数Ｎｔｏｔａｌ＋１）−ｎ）／Σｎとすることができる。図１１では、被験者Ａは１０個の形容詞（選択肢）を選択したのでＮｔｏｔａｌ＝１０となり、第１番目に選択された「ロマンチック」に対してはｎ＝１として重み係数Ａ１＝（（１０＋１）−１）／５５≒０．１８０となり、第２番目に選択された「親しみやすさ」に対してはｎ＝２として重み係数Ａ２＝（（１０＋１）−２）／５５≒０．１６４となる。以下、第３番目以降に選択された形容詞についても同様に重み係数を算出する。
【００９９】
複数のユーザによって形容詞の選択が行われている場合には、形容詞毎に総てのユーザに対して決定された重み係数を足し合わせて、各形容詞の重み係数の積算値を算出する。そして、印象評価データベースを参照して、印象情報毎に割り当てられている形容詞の重み係数の積算値を足し合わせる。例えば、図１０の印象評価データベースの例では、印象情報「カジュアル」に対しては形容詞「親しみやすい」、「かわいい」が関連付けられて登録されているので、「親しみやすい」という形容詞の積算値と「かわいい」という形容詞の積算値とを足し合わせた値を印象情報「カジュアル」の評価値として算出する。同様に、他の印象情報についても、関連付けられている形容詞の積算値を足し合わせて評価値を算出する。
【０１００】
こうして算出された評価値のうち最も高い評価値を有する印象情報をユーザ印象情報として設定する。ユーザ印象情報は記憶部１２に格納及び保持される。ユーザ印象情報の設定処理が終了すると、処理はステップＳ０へ戻される。
【０１０１】
なお、上記実施の形態及び変形例においては、ドキュメントの印象を表す選択肢として文字情報である形容詞を用いたがこれに限定されるものではない。上記のとおり、色彩情報や画像情報を選択肢として用いてもよい。形容詞を用いた方法と同様に、印象マップ上に色彩情報や画像情報を割り当てておき、被験者（デザイン制作者、依頼者、需要者等）が実際のドキュメントのデザインから受ける印象として選択された色彩情報や画像情報の印象マップ上での分布に基づいてユーザ印象情報を決定することができる。
【０１０２】
２−４．印象提示・修正工程
ステップＳ０において、印象提示・修正工程ボタン２６がクリックされると、ステップＳ４０の印象提示・修正工程に処理が移行される。
【０１０３】
ステップＳ４０の印象提示・修正工程は、図２０に示すフローチャートに沿って実行され、ステップＳ１０で求めた目標印象情報、ステップＳ２０で求めたデザイン印象情報及びステップＳ３０で求めたユーザ印象情報の表示を行う。
【０１０４】
まず、ステップＳ４０ａにおいて、制御部１０は、表示選択画面１０１０を出力部１６に表示させ、いずれの情報の表示を行うかを操作者に選択させる。表示選択画面１０１０では、図２１のように、表示の対象となるデザインの識別番号を入力ボックス５４に入力する。また、チェックボックス５０を選択して、決定ボタン５２をクリックすることによって、目標印象情報、デザイン印象情報及びユーザ印象情報の中から表示する情報を選択する。
【０１０５】
次に、表示する情報の入力を受けた制御部１０は、ステップＳ４０ｂにおいて、印象マップ画面１０１２上に目標印象情報、デザイン印象情報又はユーザ印象情報を表示する。
【０１０６】
印象マップ画面１０１２は、図２２のように、複数の領域に分割されており、各々の領域に領域識別番号が付与されている。一方、記憶部１２には、図２３に示すように、印象表示用データベースとして、領域識別番号毎に印象評価データベースに登録されている印象情報が対応付けられて保持されている。
【０１０７】
制御部１０は、印象表示用データベースを参照することによって、目標印象情報、デザイン印象情報又はユーザ印象情報に対応付けられている領域識別番号を抽出する。そして、抽出された領域識別番号が付与された印象マップ画面１０１２上の領域に対応する各情報を表示する。
【０１０８】
印象マップ画面１０１２には、各座標軸に沿って印象が所定の傾向で変化していくように領域識別番号を割り付けることが好適である。例えば、図２２に示す印象マップ画面１０１２の例では、“暖かい”から“冷たい”までのデザインの暖かさを示すＸ座標と、“柔らかい”から“硬い”までのデザインの硬さを示すＹ座標と、の二つの直交座標を設け、それぞれの印象の変化に沿って印象を表す情報が割り当てられている。なお、印象マップ画面１０１２上への情報の割り当て方法はこれに限られるものではなく、対象とするデザインの種類に応じて座標軸の設定を変更することが好ましい。
【０１０９】
ステップＳ４０ａにおいて目標印象情報が選択された場合、目標印象情報が印象マップ画面１０１２に重ね合わせて表示される。ステップＳ４０ｂにおいて指定されたデザイン識別番号に対応付けられている目標印象情報が記憶部１２から読み出される。次に、印象表示用データベースが参照されて、読み出された目標印象情報に関連付けられている領域識別番号が抽出される。そして、図２４に示すように、印象マップ画面１０１２上における各領域識別番号が割り当てられた領域に対応する目標印象情報が表示される。
【０１１０】
印象マップ画面１０１２上に表示された目標印象情報は複数の被験者（ユーザ）から得られたデザイン制作の目標となる印象の傾向を考慮した適切なものとなる。
【０１１１】
ステップＳ４０ａにおいてデザイン印象情報が選択された場合、図２５に示すように、デザイン印象情報が印象マップ画面１０１２に重ね合わせて表示される。ステップＳ４０ｂにおいて指定されたデザイン識別番号に対応付けられているデザイン印象情報が記憶部１２に記憶されているデザインデータベースから読み出される。次に、印象表示用データベースが参照されて、読み出されたデザイン印象情報に関連付けられている領域識別番号が抽出される。そして、図２５に示すように、印象マップ画像１０１２上における各領域識別番号が割り当てられた領域にデザイン印象情報が表示される。
【０１１２】
このとき、デザインデータベースに含まれるドキュメントデータ毎に情報の表示色を変更する等して、表示された情報の識別を容易にすることが好ましい。また、各々のデザイン印象情報の代わりに、又は、各々のデザイン印象情報と併せて、それらに対応するドキュメントのデザイン自体を表示することも好適である。
【０１１３】
ステップＳ４０ａにおいてユーザ印象情報が選択された場合、ユーザ印象情報が印象マップ画面１０１２に重ね合わせて表示される。ステップＳ４０ｂにおいて指定されたデザイン識別番号に対応付けられているユーザ印象情報が記憶部１２のユーザ印象情報データベースから読み出される。次に、印象表示用データベースが参照されて、読み出されたユーザ印象情報に関連付けられている領域識別番号が抽出される。そして、図２６に示すように、印象マップ画面１０１２上における各領域識別番号が割り当てられた領域に対応するユーザ印象情報が表示される。このとき、ユーザ印象情報データベースに含まれるドキュメントデータ毎に情報の表示色を変更する等して、表示された情報の識別を容易にすることが好ましい。
【０１１４】
印象マップ画面１０１２上に表示されたユーザ印象情報は複数の被験者（ユーザ）から得られた実際のデザインの印象の傾向を考慮した適切なものとなる。
【０１１５】
さらに、ステップＳ４０ａにおいて、目標印象情報とデザイン印象情報の両方が選択された場合、図２７のように、デザイン識別番号に関連付けられた目標印象情報及びデザイン印象情報の両方が印象マップ画面１０１２に重ね合わせて表示される。同様に、目標印象情報とユーザ印象情報の両方が選択された場合、デザイン印象情報とユーザ印象情報の両方が選択された場合、又は目標印象情報、デザイン印象情報及びユーザ印象情報の全てが選択された場合にも各々の情報を印象マップ画面１０１２に重ね合わせて表示する。
【０１１６】
このように、目標印象情報、デザイン印象情報及びユーザ印象情報を１つの印象マップ画面１０１２に重ね合わせて表示することによって、デザイン制作者、依頼主及びユーザがデザイン制作の目標となる印象、実際のデザインが有する印象及び実際のデザインからユーザが受け取る印象を視覚的に比較しながら確認することができる。このとき、印象マップ画面１０１２上では、各々の情報が印象傾向を示す座標軸に沿って表示されるため、目標となる印象、実際のデザインの印象及びユーザの受け取る印象がどの程度相違するのか、その相違はどのような傾向であるのか、等を明確に把握することができる。
【０１１７】
さらに、ステップＳ２０において、他社のウェブページや他の商品のデザインに対してデザイン印象情報を求めておくことにより、これらの情報と目標印象情報を比較して確認することもできる。これにより、他社のウェブページや他の商品の印象と制作するデザインの目標印象との一致又は相違を把握することが容易となる。
【０１１８】
なお、印象マップ画面１０１２上の各領域にカラーパッチやカラーパレット等の色彩情報を割り付けておき、目標印象情報、デザイン印象情報及びユーザ印象情報として抽出された色彩情報を呈示してもよい。また、印象マップ画面１０１２上の各領域に抽象画を割り付けておき、目標印象情報、デザイン印象情報及びユーザ印象情報として抽出された抽象画を呈示してもよい。
【０１１９】
さらに、本実施の形態では、目標印象情報の修正を行うことやデザイン印象の修正に役立つ情報の提示を行うこともできる。印象マップ画面１０１２上の目標印象修正ボタン６４にマウスポインタ５を移動させてマウスをクリックすることによって、ステップＳ４０ｃに処理が移行される。
【０１２０】
目標印象情報の修正が指示されると、制御部１０は目標印象情報の設定処理を開始する。
【０１２１】
操作者は、印象マップ画面１０１２上に表示されたデザイン印象情報やユーザ印象情報を参照しながら、印象マップ画面１０１２上の領域にマウスポインタ５を移動させてマウスをクリックする。制御部１０は、マウスポインタ５の位置を取得し、印象表示用データベースを参照することによって、その領域に割り当てられた印象を表現する印象情報を抽出する。これによって指定された印象情報を新たな目標印象情報として設定する。ここで、設定された新たな目標印象情報の確認を容易にするために、目標印象情報を表示する領域６６を設けて目標印象情報を表示させることも好適である。
【０１２２】
上記目標印象情報の設定方法を用いれば、例えば、競合他社のウェブデザインをデザイン印象情報として印象マップ画面１０１２上に重ね合わせて表示しておき、自社のウェブデザインの目標印象を競合他社のウェブデザインの印象と異なるものとしたいときには、競合他社のウェブデザインのデザイン印象情報が表示された領域と重複しない領域を指定することによって適切な目標印象情報を容易に設定することができる。逆に、競合他社と似通った印象を有するウェブデザインとしたい場合には、競合他社のウェブデザインのデザイン印象情報が表示された領域を指定することによって適切な目標印象情報を設定することができる。同様に、ユーザ印象情報を印象マップ画面１０１２上に重ね合わせて表示することによって、ユーザが受け取る印象を参考にしながら新たな目標印象情報を設定することも可能である。
【０１２３】
このように、目標印象情報の修正やデザイン修正の支援情報の提示を同一の印象マップ画面１０１２上において行うことによって、目標とする印象、実際のデザインの印象、ユーザが受け取る印象を視覚的に確認しながら作業を行うことができる。
【０１２４】
すなわち、本実施の形態によれば、デザイン制作の目標となる印象、実際のデザインが有する印象及び実際のデザインからユーザが受ける印象の一致や相違を同一の印象マップ画面上で確認することができる。
【０１２５】
それにより、依頼主やデザイン制作者はデザイン制作の目標印象設定の適否を視覚的に把握することができ、目標印象やデザイン印象の修正を容易に行うことが可能となる。また、デザイン制作の作業において依頼主とデザイン制作者との情報の擦り合わせが容易となって作業を円滑に行うことができる。
【０１２６】
特に、複数の目標印象情報によりドキュメントのデザイン制作の目標となる印象や複数のユーザ印象情報により実際のドキュメントのデザインから受ける印象を評価することによって、より的確にドキュメントの印象評価を行うことができる。
【図面の簡単な説明】
【０１２７】
【図１】本発明の実施の形態におけるデザイン制作支援装置の全体構成のブロック図である。
【図２】本発明の実施の形態におけるマネジメントサーバの構成のブロック図である。
【図３】本発明の実施の形態におけるデザイン制作支援方法のメインのフローチャートである。
【図４】本発明の実施の形態におけるメインメニュー画面を示す図である。
【図５】本発明の実施の形態における目標印象決定工程のフローチャートである。
【図６】本発明の実施の形態における目標印象入力画面を示す図である。
【図７】本発明の実施の形態における印象表現データベースを示す図である。
【図８】本発明の実施の形態における印象マップを示す図である。
【図９】本発明の実施の形態における目標印象情報の決定処理を説明する図である。
【図１０】本発明の実施の形態における印象評価データベースの登録例を示す図である。
【図１１】本発明の実施の形態における目標印象情報の決定処理を説明する図である。
【図１２】本発明の実施の形態におけるデザイン印象評価工程のフローチャートである。
【図１３】本発明の実施の形態におけるデザイン取込画面を示す図である。
【図１４】本発明の実施の形態におけるデザインデータベースを示す図である。
【図１５】本発明の実施の形態におけるウェブページの例を示す図である。
【図１６】本発明の実施の形態におけるデザイン評価データベースを示す図である。
【図１７】本発明の実施の形態におけるユーザ印象取得工程のフローチャートを示す図である。
【図１８】本発明の実施の形態におけるドキュメントデータ選択画面を示す図である。
【図１９】本発明の実施の形態におけるユーザ印象入力画面を示す図である。
【図２０】本発明の実施の形態における印象提示・修正工程のフローチャートを示す図である。
【図２１】本発明の実施の形態における表示選択画面を示す図である。
【図２２】本発明の実施の形態における印象マップ画面を示す図である。
【図２３】本発明の実施の形態における印象表示用データベースを示す図である。
【図２４】目標印象情報を重ね合わせて表示した印象マップ画面を示す図である。
【図２５】デザイン印象情報を重ね合わせて表示した印象マップ画面を示す図である。
【図２６】ユーザ印象情報を重ね合わせて表示した印象マップ画面を示す図である。
【図２７】目標印象情報及びデザイン印象情報を重ね合わせて表示した印象マップ画面を示す図である。
【図２８】デザイン制作のフローチャートを示す図である。
【符号の説明】
【０１２８】
５  マウスポインタ、１０  制御部、１２  記憶部、１４  入力部、１５  入力ボックス、１６  出力部、１８  ネットワークインターフェース部、２０  目標印象決定ボタン、２２  デザイン印象評価ボタン、２４  ユーザ印象取得ボタン、２６  印象提示・修正ボタン、３０  入力ボックス、３２  ウェブデザイン取込ボタン、３４  ドキュメント取込ボタン、３６  背景領域、３７  メイン領域、３８  アクセント領域、４０  チェックボックス、４２  選択決定ボタン、４３  ドキュメントデータ表示領域、４４  印象表現表示領域、４６  チェックボックス、４７  決定ボタン、４８  スクロールボタン、５０  チェックボックス、５２  決定ボタン、５４  入力ボックス、６０  印象情報表示領域、６２ａ  Ｘ座標軸、６２ｂ  Ｙ座標軸、６４  目標印象修正ボタン、６６  目標印象表示領域、１００  マネジメントサーバ、１０２ａ，１０２ｂ，１０２ｃ  クライアントコンピュータ、１０４  ネットワーク、１０００  メインメニュー画面、１００２  目標印象入力画面、１００４  デザイン取込画面、１００６  ドキュメントデータ選択画面、１００８  ユーザ印象入力画面、１０１０  表示選択画面、１０１２  印象マップ画面。
【図１】
2008059131.tif 000003
【図２】
2008059131.tif 000004
【図３】
2008059131.tif 000005
【図４】
2008059131.tif 000006
【図５】
2008059131.tif 000007
【図６】
2008059131.tif 000008
【図７】
2008059131.tif 000009
【図８】
2008059131.tif 000010
【図９】
2008059131.tif 000011
【図１０】
2008059131.tif 000012
【図１１】
2008059131.tif 000013
【図１２】
2008059131.tif 000014
【図１３】
2008059131.tif 000015
【図１４】
2008059131.tif 000016
【図１５】
2008059131.tif 000017
【図１６】
2008059131.tif 000018
【図１７】
2008059131.tif 000019
【図１８】
2008059131.tif 000020
【図１９】
2008059131.tif 000021
【図２０】
2008059131.tif 000022
【図２１】
2008059131.tif 000023
【図２２】
2008059131.tif 000024
【図２３】
2008059131.tif 000025
【図２４】
2008059131.tif 000026
【図２５】
2008059131.tif 000027
【図２６】
2008059131.tif 000028
【図２７】
2008059131.tif 000029
【図２８】
2008059131.tif 000030